(57)【特許請求の範囲】
【請求項１】
基盤に対し垂直な縦向きに固定設置される上端を開口状としたパイプ状の固定ポールと、固定ポールの上端に上向き拡開状をなして設けられ降ろされる旗類を固定ポール内に案内するようにする収納ガイドと、上部外周に旗類が取り付けられてその旗類が収納ガイドよりも上方位置と収納ガイドよりも一定量下がった下降位置との間において昇降自在となるように固定ポール内に設けられた中パイプである昇降部材と、昇降部材の外周に設けられて固定パイプ内で昇降部材の上下運動を案内するスライダと、下降時に下端が基盤上に上端が収納ガイド上に位置するように昇降部材の中心に添って昇降自在とされた芯材と、収納ガイドの上端開口よりも広い面積をもつ部材として芯材の上端に設けられ下降時に収納ガイドの上端開口に対し間隔を残して上方から接近して覆うようにされる機能ケースとを備える旗類掲揚・収納装置。
【発明の詳細な説明】
【技術分野】
【０００１】  本発明は、旗類掲揚・収納装置に関する。
【背景技術】
【０００２】  幟旗掲揚装置は旧来から各種のものがある。
【先行技術文献】
【特許文献】
【０００３】
【特許文献１】  特開２００９−８４９２２
【発明の概要】
【発明が解決しようとする課題】
【０００４】  特許文献１の幟旗掲揚装置は、簡易な構造で風向きの変化に応じて幟旗の方向を変えることを可能にし、風によって幟旗がポールに巻き付くことを確実に防止できるとすることを目的とするものであり、地上から上方へ立設されたポール本体１と、その上端において水平回転自在に軸着した回転体と、ポール本体の下方において水平回転自在に遊嵌した回転錘体と、これら回転体及び回転錘体間に張設した無端の環状をした操作ロープと、この操作ロープに対し幟旗が旗の掲揚状態において上方に幟旗装着部と、下方に回転錘体に掛止される係止部とを設け、回転錘体の上方位置に鍔部を突設し、鍔部の導孔内を操作ロープが通るよう構成されている。
しかし、この幟旗掲揚装置は、幟旗をワンタッチで完全収納した形にすることができず、その結果、幟旗が風雨に晒されて傷んだりし収納するにしても幟旗を降ろして取り外す手間がかかるものである。【０００５】  本発明は、このような問題を解決しようとするもので、旗類の掲揚と収納が極めて簡単かつ迅速に行えるとともに収納により旗類を風雨などから確実に保護することができる旗類掲揚・収納装置を提供することを目的とする。
【課題を解決するための手段】
【０００６】本発明は上記目的を達成するため、請求項１に記載の発明は、基盤に対し垂直な縦向きに固定設置される上端を開口状としたパイプ状の固定ポールと、固定ポールの上端に上向き拡開状をなして設けられ降ろされる旗類を固定ポール内に案内するようにする収納ガイドと、上部外周に旗類が取り付けられてその旗類が収納ガイドよりも上方位置と収納ガイドよりも一定量下がった下降位置との間において昇降自在となるように固定ポール内に設けられた中パイプである昇降部材と、昇降部材の外周に設けられて固定パイプ内で昇降部材の上下運動を案内するスライダと、下降時に下端が基盤上に上端が収納ガイド上に位置するように昇降部材の中心に添って昇降自在とされた芯材と、収納ガイドの上端開口よりも広い面積をもつ部材として芯材の上端に設けられ下降時に収納ガイドの上端開口に対し間隔を残して上方から接近して覆うようにされる機能ケースとを備える。
【発明の効果】
【０００７】上述したように本発明は、基盤に対し垂直な縦向きに固定設置される上端を開口状としたパイプ状の固定ポールと、固定ポールの上端に上向き拡開状をなして設けられ降ろされる旗類を固定ポール内に案内するようにする収納ガイドと、上部外周に旗類が取り付けられてその旗類が収納ガイドよりも上方位置と収納ガイドよりも一定量下がった下降位置との間において昇降自在となるように固定ポール内に設けられた中パイプである昇降部材と、昇降部材の外周に設けられて固定パイプ内で昇降部材の上下運動を案内するスライダと、下降時に下端が基盤上に上端が収納ガイド上に位置するように昇降部材の中心に添って昇降自在とされた芯材と、収納ガイドの上端開口よりも広い面積をもつ部材として芯材の上端に設けられ下降時に収納ガイドの上端開口に対し間隔を残して上方から接近して覆うようにされる機能ケースとを備えるので、旗類の掲揚と収納が極めて簡単かつ迅速に行えるとともに収納により旗類を風雨などから確実に保護することができる旗類掲揚・収納装置を提供することができる。
【図面の簡単な説明】
【０００８】
【図１】  本発明の一実施形態である旗掲揚・収納装置を収納状態で示す縦断面図。
【図２】  図２のＩＩ−ＩＩ線断面図。
【図３】  旗掲揚第１段階において示す縦断面図。
【図４】  旗掲揚第２段階において示す縦断面図。
【図５】  旗収納開始の一態様を示す縦断面図。
【図６】  旗収納開始の他の態様を示す縦断面図。
【図７】  旗収納時の作用を示す縦断面図。
【図８】  旗を靡かせる方法を示す縦断面図。
【図９】  図８のＨ−Ｈ線断面図。
【発明を実施するための形態】
【０００９】  以下、本発明の一実施形態を説明する。
各実施形態で説明する各案は他の実施形態においても適用することができる。
図１は旗収納状態を、図２はそのＩＩ−ＩＩ線断面図、図３は上昇第１段階、図４は上昇第２段階、図５は下降状態、図６は旗が靡いたまま下降する状態、図７はさらに下降した状態をそれぞれ示す。同実施形態は、旗掲揚・収納自動装置に関するもので、その掲揚・収納動作が自動で円滑かつ確実になされるようにしたものである。
３５は玄関横や庭先など所望位置の設置基盤で、同実施形態のようなコンクリート（あるいはモルタル）基盤である場合と土壌基盤である場合がある。３６は固定側、３７は昇降側、３８は制御ボックスである。
【００１０】  固定側３６は、ステンレスや樹脂などでなる固定ポール４０を備える。同ポール４０は、内径が１２０ｍｍ前後の円筒パイプで、下端に底板４１を備え上端に収納ガイド４２を備える。底板４１は、アンカー４３…によって基盤３５上に脱着可能とされるとともに、同じくアンカー４３によって固定された基板４４に傾倒操作可能にヒンジ４５で連結されている。尚、この傾倒は、底板４１側のアンカー４３…を外しポール４０を傾倒可能な状態としたのち、ポール４０の外周に突設した係合片４６…に図示しないフック付き長棒を引掛け押し引きする操作をすることによりなされる。旗掲揚・収納装置を倒すことによって高いところにある電装品や部品などのメンテナンスが可能になる。
【００１１】  収納ガイド４２は、図１の右欄にその半断面形状を拡大して示すように、軽金属成形や樹脂成形などにより造られたもので、椀（あるいは円球）状の本体部分４２ａと、その上端外周縁に外曲げ形成した安全上部ガイド部４２ｂと、本体部分４２ａの下部開口に内向き折曲突出形成した安全下部ガイド部４２ｃと、ポール４０の上端への差込固定部４２ｄとでなる。
【００１２】  ４８は縦長穴で、ポール４０の下部一側に形成され、この縦長穴４８を水密状に塞ぐように突隆型のケーシング４９が取付けられるとともに、同ケーシング４９内には外部装備の駆動源５０により正逆に回転制御されるチェーン（あるいはベルトなど）５１が上下のスプロケット５２を介して掛けられている。このチェーン５１の内側からは筒状あるいはヨーク状をした昇降駆動部５３が突設されている。５４はストップスペーサで、ポール４０の中央にくるように底板４１上に固定されている。
【００１３】  昇降側３７は、ポール４０の中央に位置するように設けられた中パイプ（昇降部材）５７と、同パイプ５７内に挿し込まれた芯材５８と、芯材５８の上端の機能ケース５９とを備える。芯材５８は、中パイプ５７に相対的にスライド移動可能になっている。
中パイプ５７は、固定ポール４０よりも少し短めのパイプとされて旗収納時に前記ストップスペーサ５４上に受け止められた状態で収まるとともに、その外周に設けられた樹脂製スライダ６１を介して固定ポール４０内を上下運動するようになっている。また、同中パイプ５７の下部外周には、昇降駆動部５３に係合して同行して昇降されるように受突片６２が設けられている。中パイプ５７の上部外周には、図１の左欄に拡大して示すように、上下一対の固定リング６４間に回転自在に設けた回転リング６５と、これらリング６５の上下一対間に渡された旗ホルダー６６とが設けられ、旗ホルダー６６は、旗６７の基部が挟まれて取り付けられるようになっている。旗６７は、１本の旗ホルダー６６で取り付けられているので、例えば、旗６７の下側だけが風でぐるり勝手に回ってしまうことがなく、旗６７の基部は常に一直線状を保ってぐるりと回り、まとわり付くおそれがない。
【００１４】  芯材５８は、図１の収納時に、その下端が底板４１上に当って止められる一方、上端は収納ガイド４２の上端よりも若干高くなるレベルで止められる。芯材５８の上に設けられる機能ケース５９と収納ガイド４２との間に間隔を残すことで旗６７が挟まれることなく収納ガイド４２内へ導かれるようにするためである。
【００１５】  機能ケース５９内には、夜間に下周りを照らす照明器具（ＬＥＤ）７０や防災警報などのスピーカー７１を装備し、さらにその外部には、防犯ビデオカメラ７２や避雷針７３、さらには太陽電池ソーラー７４を装備する。
また、これらへの配電コード７５は芯材５８中を通して下まで導き、切欠をもつストップスペーサ５４を通じて固定ポール４０内から水密状に外部へ通し、制御ボックス３８へと導くものとする。配電コード７５は、図２の下がった状態と図４の上がった状態とで上下に追従変位可能にしてある。
【００１６】  図１は旗６７が装置の固定ポール４０内に収納された状態を示す。制御ボックス３８内のタイマー設定により、朝設定時刻になると駆動源５０が始動し、スプロケット５２・チェーン５１により昇降駆動部５３が上昇することにより受突片６２も上昇し、中パイプ５７が引き上げられる。
図３は第１段階として中間高さまで中パイプ５７が引き上げられた状態を示し、中パイプ５７の上端が機能ケース５９の底に当ってさらに持ち上げようとする状態になっている。
図４は第２段階として機能ケース５９・芯材５８・中パイプ５７の全てが持ち上がる状態を示し、旗６７の下端が収納ガイド４２から完全に抜け出た状態になっている。この状態で駆動源５０は停止される。そして、旗６７は風が吹くとそれに靡き、風向きが変われば旗ホルダー６６および回転リング６５を介してぐるりと自在に回るようになっている。
【００１７】  夕方あるいは雨が降ってきたときには、制御ボックス３８内からの制御により旗６７は降ろされる。その際、旗６７が靡いていなければ図５のようになってどこにも接触することなく中パイプ５７内に旗６７が収納されるが、仮に、旗６７が靡いたまま降ろされると、図６から図７に示すようになる。即ち、旗６７が靡いていると、図７の右欄に示すように旗６７が収納ガイド４２に当たるようになって損傷しやすくなるが、収納ガイド４２には安全上部ガイド部４２ｂが丸く形成されているので旗６７は円滑に案内されて損傷するおそれがない。また、旗６７がさらに下がると、本体部分４２ａに接触するようになるが、この本体部分４２ａは仮想線のように円錐状でなく球状に凹んでいるので旗６７が接触しにくく、従って、旗６７が例えば、水で濡れている場合にもスムーズに通過し収納されてゆくことになる。さらに、収納にあたって安全下部ガイド部４２ｃが膨らんでいるので旗６７の損傷は少なくなるとともに円滑に収納されることになる。
【００１８】  図８および図９は、他の実施形態を示す。この実施形態は、芯材５８内を通じてのエアーの供給によりそれを芯材５８の第１通孔７６および中パイプ５７の第２通孔７７を通じて外筒７８内に導き、その外筒７８と連通する旗ホルダー６６を通じて同ホルダー６６の排風口７９からエアーを旗６７に吹き付けて靡かせるようにしたものである。
【符号の説明】
【００１９】  ４０…固定ポール  ４２…収納ガイド  ５７…昇降部材（中パイプ）  ５８…芯材  ６７…旗。
【図１】
0005899586.tif 000002
【図２】
0005899586.tif 000003
【図３】
0005899586.tif 000004
【図４】
0005899586.tif 000005
【図５】
0005899586.tif 000006
【図６】
0005899586.tif 000007
【図７】
0005899586.tif 000008
【図８】
0005899586.tif 000009
【図９】
0005899586.tif 000010